(57)【特許請求の範囲】
【請求項１】
光学装置に備えられている、光を複数の光束に分割する回折格子の回折方向を調節する回折格子の調整方法であって、
回折格子を通過した上記光束から、−Ｍ次以下および＋Ｍ次以上（但し、Ｍは自然数）の回折光成分の光束を取り出す取り出し工程と、
上記−Ｍ次以下および＋Ｍ次以上の回折光成分の光束を干渉させてできる干渉縞を、所定の基準線と一致させるように回折格子の格子線の方向を調整する調整工程とを含むことを特徴とする回折格子の調整方法。
【請求項２】
さらに、上記取り出し工程では、回折格子を通過した光束を複数の光透過部を有する遮光板上に集光させて、上記−Ｍ次以下および＋Ｍ次以上の回折光成分の光束を取り出すことを特徴とする請求項１に記載の回折格子の調整方法。
【請求項３】
さらに、取り出し工程にて取り出された上記−Ｍ次以下および＋Ｍ次以上の回折光成分の光束を平行光に変換する変換工程を含むことを特徴とする請求項１または２に記載の回折格子の調整方法。
【請求項４】
さらに、上記取り出し工程では、−Ｎ次および＋Ｎ次（但し、Ｎは自然数）の回折光成分の光束のみを取り出すことを特徴とする請求項１、２または３に記載の回折格子の調整方法。
【請求項５】
光学装置に備えられている、光を複数の光束に分割する回折格子の格子線の方向を調整する回折格子調整装置であって、
回折格子を通過した上記光束から−Ｍ次以下および＋Ｍ次以上（但し、Ｍは自然数）の回折光成分の光束を取り出す空間周波数フィルターと、
上記−Ｍ次以下および＋Ｍ次以上の回折光成分の光束を干渉させてできる干渉縞と所定の基準線との重なりを観察する観察手段と、
上記観察結果に基づいて、回折格子の格子線の方向を調節する調節手段とを備えることを特徴とする回折格子調整装置。
【請求項６】
上記空間周波数フィルターは、回折格子を通過した光束を集光させる第１の集光レンズと上記光束の集光位置に配置された複数の光透過部を有する遮光板とを備えることを特徴とする請求項５記載の回折格子調整装置。
【請求項７】
上記空間周波数フィルターは、さらに、上記遮光板の光透過部を透過した光束を平行光に変換する第２の集光レンズを含むことを特徴とする請求項６記載の回折格子調整装置。
【請求項８】
上記遮光板の光透過部は、＋Ｎ次および−Ｎ次（但し、Ｎは自然数）の回折光成分の光束のみを透過させるように配置されていることを特徴とする請求項６または７記載の回折格子調整装置。
【発明の詳細な説明】
【０００１】
【発明の属する技術分野】
本発明は、光ピックアップのような回折格子を含む光学装置の回折格子の回折方向を調整する方法に関するものである。
【０００２】
【従来の技術】
回折格子は光束のコヒーレンスと波面情報とを保持しながら光束を複数に分割する手段として有効であり、様々な光学装置に用いられている。特に、光ピックアップでは３ビーム法、あるいは差動プッシュプル法（以下ＤＰＰ法と記す）を実現するため、通常、光源からの光束を１つの主ビームと２つの副ビームとに分割する手段として使用されている。
【０００３】
回折格子で分割・生成された複数の光束は回折原理により、回折格子の格子線と直交する方向に一列に並ぶ。従って回折格子を含む光学装置では生成された複数の光束が所望の方向となるように回折格子の回折方向を調整する必要がある。特に光ピックアップでは光ディスクに形成された、ピッチが１μｍ程度のトラックに対して高精度に位置決めする必要がある。
【０００４】
このような光学装置における回折格子の従来の調整方法としては、特開昭６２−２６４４３６号公報に開示されている方法がある。これについて図４を参照して説明する。上記公報に開示されている光学装置は、図４に示すように、光ピックアップの筐体１０１、レンズ枠１０２、光源１０３、回折格子１０４、コリメートレンズ１０５、ＴＶカメラ１０６、および、ディスプレイ１０７を備えている。筐体１０１にはレンズ枠１０２が挿入されており、更にレンズ枠１０２には光源１０３、回折格子１０４およびコリメートレンズ１０５が装着されている。光源１０３から放射された光束は、回折格子１０４によって複数の光ビーム（光束）に分割されて、コリメートレンズ１０５により平行光に変換される。ＴＶカメラ１０６にはディスプレイ１０７が接続されている。また、このディスプレイ１０７には分割された複数の光ビームの干渉縞と図示しない基準線とが表示されている。そして、この干渉縞が上記基準線と平行になるように、筐体１０１の側面に形成された調整穴１０８より偏芯ピンなどを用いて回折格子１０４を回転させることにより回折方向を調整する。このようにして、回折格子１０４の回折方向を調整している。
【０００５】
ところで、干渉縞は、通常、正弦波状の強度分布を有するので、この干渉縞の明暗の境界線を特定することは難しい。従って、このような調整方法においては、干渉縞のピッチの１／２程度が調整限度となる。例えば、図５に示されるような直径Ａの円形の光ビーム断面にピッチＤ０の干渉縞が観察されたとすると、調整精度Δθは、
Δθ＝Ｓｉｎ-1（Ｄ０／（２・Ａ））
で与えられる。
【０００６】
【発明が解決しようとする課題】
しかし、近年の光学装置は高精度化が進み、前述の調整精度で不十分な状況が生じている。その具体例について図６、７を参照して説明する。図６は光ピックアップの光学系を模式的に示した図であり、図４と同じ部材には同じ番号を付している。光源１０３から放射された光束は、回折格子１０４で複数の光束に分割されてコリメートレンズ１０５で平行光に変換された後、対物レンズ１１０により光ディスク１１１上に集光されることにより複数の光スポットを形成する。
【０００７】
図７は光ディスク上に形成された集光スポットと記録トラックとの位置関係を示したものである。主ビームの集光スポット１１６に対して、２つのトラッキング用副ビームスポット１１７・１１８が、それぞれトラックに沿った方向に約２０μｍ、トラックに直交する方向に約０．３７μｍ離れて配置されている。また、トラックピッチは０．７４μｍである。以下の説明では、この条件に基づいて説明する。
【０００８】
図６において、コリメートレンズ１０５から出射される平行光の断面に形成される干渉縞のピッチは、対物レンズ１１０の焦点距離、ディスク上での主ビームと副ビームとの集光スポット間隔、および、光源の波長によって決定される。具体的には、例えば、対物レンズ１１０の焦点距離を２．５ｍｍ、主ビームと副ビームとの集光スポット間隔を２０μｍ、光源の波長を０．６５μｍとすると干渉縞の間隔Ｄ０は、
Ｄ０＝０．６５μｍ／（２０μｍ／２．５ｍｍ）＝８１μｍ
となる。
【０００９】
コリメートレンズ１０５の有効直径は概ね４ｍｍ程度であり、この場合の調整角度精度Δθは、
Δθ＝Ｓｉｎ-1（８１μｍ／（２×４ｍｍ））＝０．５８（°）
となる。
【００１０】
しかしながら、具体的には、ディスク上の副ビームスポット１１７・１１８は、近年の光学装置におけるトラッキング精度の要求から、例えば、主ビームスポットに対してトラック１１５と直交する方向にトラックピッチの約４％の精度で位置合わせする必要がある。具体的には、トラックピッチが０．７４μｍである場合、約３０ｎｍの精度で位置あわせする必要がある。これは調整角度精度Δθ（具体的には、グレーティング１０４の格子方向、即ち干渉縞の方向）を、
Δθ＝Ｓｉｎ-1（３０ｎｍ／２０μｍ）＝０．０８５（°）
の精度で合わせる必要があることを意味し、従来の調整方法における角度精度（０．５８（°））では精度不足となる。なお、上記調整角度精度Δθ（上記説明では、０．０８５（°））は、必要とする精度、装置の大きさ、使用目的等により適宜決定される。
【００１１】
従って、より高精度に回折格子の回折方向を調整する方法およびその装置が求められている。
【００１２】
【課題を解決するための手段】
本発明の回折格子の調整方法は、上記の課題を解決するために、光学装置に備えられている、光を複数の光束に分割する回折格子の回折方向を調節する回折格子の調整方法であって、回折格子を通過した上記光束から、−Ｍ次以下および＋Ｍ次以上（但し、Ｍは自然数）の回折光成分の光束を取り出す取り出し工程と、上記−Ｍ次以下および＋Ｍ次以上の回折光成分の光束を干渉させてできる干渉縞を、所定の基準線と一致させるように回折格子の格子線の方向を調整する調整工程とを含むことを特徴としている。
【００１３】
上記基準線とは、回折格子が正常な状態（正確な位置に）に調整された場合に形成される干渉縞、または、この干渉縞に基づいて作成される線を示す。
【００１４】
上記の方法によれば、−Ｍ次以下および＋Ｍ次以上（但し、Ｍは自然数）の回折光成分の光束を取り出して、この光束を上記基準線に基づいて調整するようになっている。この−Ｍ次以下および＋Ｍ次以上（但し、Ｍは自然数）の回折光成分の光束は、従来と比べて、光束を干渉させてできる干渉縞のピッチが小さい。従って、干渉縞のピッチが小さいので、この干渉縞を上記基準線に、より正確に合わせることができる。これにより、精度良く回折格子の格子線の方向を調整することができる。具体的には、−Ｍ次以下および＋Ｍ次以上（但し、Ｍは自然数）の回折光成分の光束のみを透過させることにより、従来の調整方法と比べて、干渉縞のピッチを１／（２Ｍ）とすることができるので、より高精度の調整が可能となる。
【００１５】
また、本発明の回折格子の調整方法の上記取り出し工程では、回折格子を通過した光束を複数の光透過部を有する遮光板上に集光させて、上記−Ｍ次以下および＋Ｍ次以上の回折光成分の光束を取り出すことがより好ましい。
【００１６】
回折格子からの光束を集光させることにより、次数の異なる回折光は、異なる位置に集光される。従って、回折光を複数の光透過部を有する遮光板上に集光させれば、特定の回折光を容易に取り出せる。
【００１７】
また、本発明の回折格子の調整方法は、さらに、取り出し工程にて取り出された上記−Ｍ次以下および＋Ｍ次以上の回折光成分の光束を平行光に変換する変換工程を含む構成がより好ましい。
【００１８】
上記の構成によれば、取り出し工程にて取り出された上記−Ｍ次以下および＋Ｍ次以上の回折光を平行光に変換しているので、干渉縞がどの位置でも同じ大きさになり正確な調整が容易になる。
【００１９】
また、本発明の回折格子の調整方法は、さらに、上記取り出し工程では、−Ｎ次および＋Ｎ次（但し、Ｎは自然数）の回折光成分の光束のみを取り出すことがより好ましい。
【００２０】
上記の構成によれば、−Ｎ次および＋Ｎ次（但し、Ｎは自然数）の回折光のみを取り出すようになっており、ほぼ同じ強度の回折光のみを干渉させることができるので、明瞭な干渉縞が得られる。これにより、より精度良く回折格子を調整することができる。
【００２１】
本発明の回折格子調整装置は、上記の課題を解決するために、光学装置に備えられている、光を複数の光束に分割する回折格子の格子線の方向を調整する回折格子調整装置であって、回折格子を通過した上記光束から−Ｍ次以下および＋Ｍ次以上（但し、Ｍは自然数）の回折光成分の光束を取り出す空間周波数フィルターと、上記−Ｍ次以下および＋Ｍ次以上の回折光成分の光束を干渉させてできる干渉縞と所定の基準線とを観察する観察手段と上記回折格子の格子線の方向を調節する調節手段とを備えることを特徴としている。
【００２２】
上記空間周波数フィルターとは、回折格子によって回折された光束のうち、−Ｍ次以下および＋Ｍ次以上（但し、Ｍは自然数）の回折光成分の光束を取り出すことができるものである。
【００２３】
本発明による回折格子調整装置においては、回折格子を通過した光束を空間周波数フィルターに入射させて−Ｍ次以下および＋Ｍ次以上（但し、Ｍは自然数）の回折光成分の光束を取り出し、該回折光成分の光束を干渉させてできる、より細かいピッチの干渉縞を観察手段により観察している。そして、観察された干渉縞と基準線との重なり具合に応じて、回折格子の格子線の方向を調整している。具体的には、上記観察手段を見ながら、上記干渉縞が上記基準線と一致する（重なる）ように、回折格子の格子線の方向を調整している。従って、より細かいピッチの干渉縞を基に格子線の方向の調整を行うことができるので、従来と比べて、回折格子の調整精度を向上させることができる。また、回折方向の調整としては、例えば、干渉縞が基準線と直角になるように調整してもよく、特に限定されるものではない。
【００２４】
また、本発明の回折格子調整装置の上記空間周波数フィルターは、回折格子からの光束を集光させる第１の集光レンズと上記光束の集光位置に配置された複数の光透過部を有する遮光板とを備える構成とすることがより好ましい。
【００２５】
上記の構成によれば、上記空間周波数フィルターは集光レンズと複数の光透過部を有する遮光板で構成することができるので安価である。
【００２６】
また、上記遮光板の光透過部を−Ｍ次以下および＋Ｍ次以上（但し、Ｍは自然数）の回折光成分の光束のみを透過させるように形成しているので、干渉縞のピッチを１／（２Ｍ）とすることができる。従って、従来と比べて、より高精度の調整が可能となる。
【００２７】
また、本発明の回折格子調整装置は、上記空間周波数フィルターは、さらに、上記遮光板の光透過部を透過した光束を平行光に変換する第２の集光レンズを含む構成がより好ましい。
【００２８】
上記の構成によれば、遮光板を透過した光束を平行光に変換する第２の集光レンズを配置することにより、観察手段（例えば、ＴＶカメラ）を、光の進む方向に対して、第２の集光レンズより後の、光軸上のどこに配置しても同じ大きさの干渉縞が観察できるようになるので、装置の配置が容易になる。これにより、例えば、装置の大きさ等の自由度が増す。
【００２９】
また、本発明の回折格子調整装置は、上記遮光板の光透過部は、＋Ｎ次および−Ｎ次（但し、Ｎは自然数）の回折光成分の光束のみを透過させるように配置されている構成がより好ましい。
【００３０】
上記の構成によれば、遮光板の光透過部を−Ｎ次および＋Ｎ次（但し、Ｎは自然数）の回折光成分の光束のみを透過させるように配置することにより、ほぼ同じ強度の回折光のみを干渉させることができるので、明瞭な干渉縞が得られる。
【００３１】
【発明の実施の形態】
本発明の実施の一形態について図１ないし図３に基づいて説明すれば、以下の通りである。
【００３２】
本実施の形態にかかる回折格子調整装置は、光源からの光を複数の光束に分割する回折格子を有する光学装置のための回折格子調整装置であって、回折格子を通過した光束から特定の回折光成分（以下、回折光成分と称する）を取り出す空間周波数フィルターと、上記特定の回折光を干渉させてできる干渉縞および所定の基準線を観察する観察手段と上記回折格子の方向を調節する調節手段とを有する構成である。
【００３３】
以下の説明では、回折格子を備えた光学装置が、光ピックアップである場合について説明する。しかし、本発明の回折格子の調整方法および回折格子調整装置における光学装置は、光ピックアップ装置のみに限定されるものではなく、回折格子を備えた光学装置であれば特に限定されるものではない。
【００３４】
光ピックアップは、一般的に、図１に示すように、光源１と回折格子２とコリメートレンズ３とミラー４とを備えている。光源１から放射された光は回折格子２により複数の光束に分割され、コリメートレンズ３により平行光束に変換された後、ミラー４で上方に反射される。ミラー４で反射された光束の断面には、回折によるピッチＤ１の干渉縞が観察される。この干渉縞のピッチＤ１は０次回折光と＋１次または−１次回折光とのなす角に反比例し、光源の波長に比例する。すなわち、０次回折光と＋１次または−１次回折光とのなす角が小さく（狭く）なると、ピッチＤ１の間隔は大きく（広く）なる。また、光源の波長が大きく（長く）なると、ピッチＤ１の間隔は小さく（狭く）なる。
【００３５】
上記光源は、光ピックアップとして使用する光源でもよく、本発明の回折格子の調整のために使用する光源でも良い。具体的には、上記光源は、光ピックアップとして使用するレーザダイオード等でもよく、回折格子の調整のために使用するＨｅＮｅレーザでも良い。
【００３６】
本実施の形態にかかる回折格子調整装置は第１の集光レンズ５（空間周波数フィルター）と、２個所の光透過部１０を有する遮光板６（空間周波数フィルター）と、第２の集光レンズ７（空間周波数フィルター）と、ＴＶカメラ８（観察手段）と、モニター９（観察手段）と、図示しない回折格子調整手段とで構成されている。
【００３７】
第１の集光レンズ５は、光学装置の回折格子を通ってきた光束を遮光板６に集光するために用いられる。このとき、第１の集光レンズ５では、複数の次数の光束が遮光板６に集光されるようになっている。従って、遮光板６上には、複数の光のスポットが形成されることとなる。
【００３８】
上記遮光板６は、第１の集光レンズ５で集光された複数の光束のうちの、特定の回折光成分を透過させるために設けられている。具体的には、遮光板６の特定の回折光が集光する部分（場所）には、光透過部１０が備えられている。この光透過部１０とは、例えば、開口である。
【００３９】
上記光透過部１０は、第１の集光レンズ５で集光された複数の光束のうちの、−Ｍ次以下および＋Ｍ次以上（但し、Ｍは自然数）の回折光を透過させるような位置に設けられている。光透過部１０は、−Ｍ次以下および＋Ｍ次以上の回折光を透過させることができればよいが、同じ次数のみの回折光を透過させることが特に好ましい。符号は異なるが、同じ次数の回折光は、同じ光の強度を有している。従って、ほぼ同じ強度の回折光のみを干渉させることができるので、より明瞭な干渉縞を得ることができる。なお、図１では、±５次の回折光のみを透過させるように、光透過部１０が形成されている。
【００４０】
第２の集光レンズ７は、上記遮光板６に備えられた光透過部１０を透過した光束（光）を平行光に変換するために用いられる。そして、第２の集光レンズ７は、光透過部１０を透過した光を、上記ＴＶカメラ８およびモニター９（観察手段）に拡大して表示するようになっている。この第２の集光レンズ７には、特定の次数の回折光が入射するようになっている。従って、この第２の集光レンズ７を透過した回折光が干渉することにより発生する干渉縞は、ミラー４にて反射された回折光が干渉することにより発生する干渉縞と比べて、干渉縞のピッチの間隔が狭くなっている。
【００４１】
上記ＴＶカメラ８およびモニター９は、上記第２の集光レンズ７を透過した光が干渉することにより発生した干渉縞を観察するものである。モニター９には、予め回折格子が正確な状態に調整された場合に形成される干渉縞、または、この干渉縞を基に作成された線を基準線１２として表示されている。
【００４２】
図２は、図１の光学系からミラー４を除いたものの断面図を示したものである。モニター９には基準線１２が映されている。該基準線は調整される回折格子を備えた光学装置の光学的、または機械的基準に対して所定の角度となるよう予め調整されている。本実施の形態では、回折格子が正確な（正常）状態に調整された場合に形成される干渉縞、または、光ピックアップの図示しないガイド軸、またはその筐体の外形に対して平行または垂直な線を光学的に計測して得られた結果が、基準線１２として使用される。
【００４３】
また、回折格子調整手段は、上記観察手段の観察結果に基づいて、回折格子の格子線の方向を調整するものである。具体的には、回折格子調整手段は、上記モニター９に表示された第２の集光レンズ７を透過することにより観察された干渉縞と、上記モニター９に表示されている基準線１２とを、一致させるように回折格子の格子線の方向を調整するものである。上記回折格子調整手段としては、具体的には、偏芯ピン等が挙げられるが特に限定されるものではない。
【００４４】
そして、本実施の形態では、上記第１の集光レンズ５と遮光板６と第２の集光レンズ７とにより空間周波数フィルターが構成されている。
【００４５】
上記空間周波数フィルターは、遮光板６に設けられている光透過部１０の位置によって、透過させる回折光成分を変更することができる。
【００４６】
しかし、上記空間周波数フィルターとしては、少なくとも上記第１の集光レンズ５と遮光板６とから構成されていればよい。従って、空間周波数フィルターとしては、例えば、第２の集光レンズ７を備えていな場合でも回折格子の調整を行うことができる。
【００４７】
次に、本発明に係る回折格子調整装置の動作、すなわち、本発明に係る回折格子の調整方法について説明する。
【００４８】
本実施の形態にかかる回折格子の調整方法は、光学装置に備えられている、光を複数の光束に分割する回折格子の回折方向を調節する回折格子の調整方法であって、回折格子を通過した上記光束のうちの、特定の次数の回折光成分を取り出した後、上記特定の次数の回折光成分を干渉させてできる干渉縞を、所定の基準線と一致させるように回折格子の格子線の方向を調整することにより、回折格子の回折方向を調整する構成である。以下に、光透過部が、±５次の回折光のみを透過させた場合を例に説明する。
【００４９】
光源１から照射された光は回折格子２にて複数の光束になり、コリメートレンズ３に照射される。そして、コリメートレンズ３で平行光に変換されて出射した光束は、第１の集光レンズ５により集光されて焦点面内に複数の集光スポットを形成する。この焦点面には遮光板６が配置されており、遮光板６には−Ｎ次及び＋Ｎ次の回折光のみを透過させる光透過部１０が設けられている。この場合、遮光板６には−５次及び＋５次回折光の集光スポットＰ―５・Ｐ＋５の位置に光透過部１０が設けられているので第２の集光レンズ７には−５次及び＋５次回折光のみが入射し、集光レンズ７から出射される光束の断面には−５次回折光と＋５次回折光の干渉縞が観察される。特に符号の異なる同次数の回折光は、ほぼ同じ強度を有するのでこれらを干渉させると最も明瞭な干渉縞が得られる。
【００５０】
第２の集光レンズ７を透過した干渉縞のピッチＤ２は−５次回折光と＋５次回折光のなす角に反比例し、光源の波長に比例する。−Ｎ次回折光と＋Ｎ次回折光のなす角は０次光と＋１次（または−１次回折光）のなす角の約２Ｎ倍となるので、−５次回折光と＋５次回折光を干渉させて得られる干渉縞のピッチＤ２は空間周波数フィルター通過前の干渉縞のピッチＤ１に対して、約１／１０となる。従って、第２の集光レンズ７から出射された光束の干渉縞をモニター９で観察しながら、その干渉縞が基準線と一致するように回折格子２の回折方向を調整すると、従来の方法で調整した場合と比べて、１０倍の精度で回折格子２の方向を調整することができる。
【００５１】
具体的には、例えば、光ピックアップにおいて対物レンズの焦点距離を２．５ｍｍ、主ビームと副ビームとの集光スポット間隔を２０μｍ、波長を０．６５μｍとすると、コリメートレンズ３を出射した光束の断面に形成される干渉縞の間隔Ｄ１は、
Ｄ１＝０．６５μｍ／（２０μｍ／２．５ｍｍ）＝８１μｍ
となる。そして上記空間周波数フィルターを透過させることにより、ピッチＤ２＝８．１μｍの干渉縞が得られる。従って、コリメートレンズ３の有効直径を４ｍｍとすると調整角度精度Δθは、
Δθ＝Ｓｉｎ-1（８．１μｍ／（２×４ｍｍ））＝０．０５８（°）
となる。これにより、従来の調整方法と比べて、調整精度を上げることができ（具体的には、調整精度を、上述した正確なトラッキングに必要な調整精度（例えば、０．０８５（°））よりも小さくすることができる）ので、本発明の回折格子の調整方法により、実用に耐え得る精度での角度調整を実現することができる。
【００５２】
なお、遮光板６は、所望の高次回折光、例えば、±Ｍ次以上（−Ｍ次以下及び＋Ｍ次以上（Ｍは自然数））の回折光を透過させるように形成されている。本実施の形態では、図３に示すように、遮光板６に長方形の光透過部１０が設けられており、この光透過部１０は、±５次以上、すなわち、−５次以下および＋５次以上の回折光を透過させるようになっている。また、第２のレンズ７を透過した光束の、干渉縞のピッチＤ２は、光透過部１０を透過した回折光のうち、最低次数の回折光で決定されるので図３に示した構成でも図１の構成と同様に調整精度が向上する。
【００５３】
以上のように本実施の形態にかかる回折格子の調整方法は、光学装置に備えられている、光を複数の光束に分割する回折格子の回折方向を調節する回折格子の調整方法であって、回折格子を通過した上記光束のうち、−Ｍ次以下および＋Ｍ次以上（但し、Ｍは自然数）の回折光成分の光束を取り出す取り出し工程と、上記−Ｍ次以下および＋Ｍ次以上の回折光成分の光束を干渉させてできる干渉縞を、所定の基準線と一致させるように回折格子の格子線の方向を調整する調整工程とを含む構成である。
【００５４】
上記の方法によれば、−Ｍ次以下および＋Ｍ次以上（但し、Ｍは自然数）の回折光成分の光束を取り出して、上記光束を基準線に基づいて調整するようになっている。この−Ｍ次以下および＋Ｍ次以上（但し、Ｍは自然数）の回折光成分の光束は、従来と比べて、光束を干渉させてできる干渉縞のピッチを小さくすることができる。具体的には、−Ｍ次以下および＋Ｍ次以上（但し、Ｍは自然数）の回折光成分のみを透過させることにより、干渉縞のピッチを１／（２Ｍ）とすることができるので、より高精度の調整が可能となる。
【００５５】
また、特に、−Ｎ次および＋Ｎ次（但し、Ｎは自然数）の回折光成分のみを取り出すことにより、ほぼ同じ強度の回折光のみを干渉させることができるので、明瞭な干渉縞を得ることができる。
【００５６】
なお、本発明による回折格子の調整方法は、光源と該光源からの光を複数の光束に分割する回折格子を有する光学装置における回折格子の調整方法であって、回折格子を通過した光束を空間周波数フィルターに入射させて特定の回折光成分のみを取り出し、該回折光成分を干渉させてできる干渉縞を観測し基準線と一致させて回折格子方向の方向を調整する構成であっても良い。
【００５７】
また、上記空間周波数フィルターは回折格子からの光束を集光させる第１の集光レンズと上記光束の集光位置に配置された複数の光透過部を有する遮光板とを有する構成であることがより好ましい。
【００５８】
上記空間周波数フィルターは、さらに上記遮光板の光透過部を透過した光を平行光に変換する第２の集光レンズを含む構成であることがより好ましい。
【００５９】
上記遮光板の光透過部は−Ｍ次以上および＋Ｍ次以上（但し、Ｍは自然数）の回折光成分のみを透過させるように配置された構成であることがより好ましい。
【００６０】
上記遮光板の光透過部は−Ｎ次および＋Ｎ次（但し、Ｎは自然数）の回折光成分のみを透過させるように配置された構成であることがより好ましい。
【００６１】
【発明の効果】
本発明の回折格子の調整方法は、以上のように、回折格子を通過した上記光束のうち、−Ｍ次以下および＋Ｍ次以上（但し、Ｍは自然数）の回折光成分の光束を取り出す取り出し工程と、上記−Ｍ次以下および＋Ｍ次以上の回折光成分の光束を干渉させてできる干渉縞を、所定の基準線と一致させるように回折格子の格子線の方向を調整する調整工程とを含む構成である。
【００６２】
−Ｍ次以下および＋Ｍ次以上（但し、Ｍは自然数）の回折光成分の光束は、従来と比べて、光束を干渉させてできる干渉縞のピッチを小さくすることができるので、より精度良く回折格子の回折方向を調整することができるという効果を奏する。
【００６３】
また、本発明の回折格子の調整方法は、さらに、上記取り出し工程では、回折格子を通過した光束を集光させた後、上記−Ｍ次以下および＋Ｍ次以上の回折光成分の光束を取り出す構成がより好ましい。
【００６４】
それゆえ、回折格子からの光束を集光させた後、上記−Ｍ次以下および＋Ｍ次以上の回折光成分の光束を取り出すので、特定の回折光成分の光束を取り出し易いという効果を奏する。
【００６５】
また、本発明の回折格子の調整方法は、さらに、取り出し工程にて取り出された上記特定の次数の回折光成分の光束を平行光に変換する変換工程を含む構成がより好ましい。
【００６６】
それゆえ、取り出し工程にて取り出された上記−Ｍ次以下および＋Ｍ次以上の回折光成分の光束を平行光に変換しているので、上記特定の回折光成分をより取り出し易いという効果を奏する。
【００６７】
また、本発明の回折格子の調整方法は、さらに、上記取り出し工程では、−Ｎ次および＋Ｎ次（但し、Ｎは自然数）の回折光成分の光束のみを取り出す構成がより好ましい。
【００６８】
それゆえ、ほぼ同じ強度の回折光のみを干渉させることができるので、明瞭な干渉縞が得られるという効果を奏する。
【００６９】
本発明の回折格子調整装置は、以上のように、回折格子を通過した光束から−Ｍ次以下および＋Ｍ次以上（但し、Ｍは自然数）の回折光成分の光束を取り出す空間周波数フィルターと、上記−Ｍ次以下および＋Ｍ次以上の回折光成分の光束を干渉させてできる干渉縞と所定の基準線との重なりを観察する観察手段と上記回折格子の格子線の方向を調節する調節手段とを備える構成である。
【００７０】
それゆえ、回折格子を通過した光束を空間周波数フィルターに入射させて−Ｍ次以下および＋Ｍ次以上（但し、自然数）の回折光成分の光束を取り出し、該高周波成分を干渉させてできるより細かいピッチの干渉縞を用いて回折格子方向を調整するので、従来と比べて、回折格子の調整精度を向上させることができるという効果を奏する。
【００７１】
また、本発明の回折格子調整装置は、上記空間周波数フィルターは、回折格子からの光束を集光させる第１の集光レンズと上記光束の集光位置に配置された複数の光透過部を有する遮光板とを有する構成がより好ましい。
【００７２】
それゆえ、上記空間周波数フィルターは集光レンズと複数の光透過部を有する遮光板で構成することができるので安価であるという効果を奏する。
【００７３】
また、本発明の回折格子調整装置は、上記空間周波数フィルターは、さらに、上記遮光板の光透過部を透過した光束を平行光に変換する第２の集光レンズを含む構成がより好ましい。
【００７４】
それゆえ、遮光板を透過した光を平行光に変換する第２の集光レンズを配置することにより、観察手段を光軸上のどこに配置しても同じ大きさの干渉縞が観察できるようになるので装置の自由度（配置、装置の大きさ等）が増すという効果を奏する。
【００７５】
また、本発明の回折格子調整装置は、上記遮光板の光透過部は、＋Ｎ次および−Ｎ次（但し、Ｎは自然数）の回折光成分の光束のみを透過させるように配置されている構成がより好ましい。
【００７６】
それゆえ、遮光板の光透過部を−Ｎ次および＋Ｎ次（但し、Ｎは自然数）の回折光成分のみをさせるように配置することにより、ほぼ同じ強度の回折光のみを干渉させることができるので、明瞭な干渉縞が得られるという効果を奏する。
【図面の簡単な説明】
【図１】本実施の一形態における回折格子調整装置の概略を示す斜視図である
【図２】本実施の一形態における回折格子調整装置の概略を説明する断面図である。
【図３】本実施の一形態における他の回折格子調整装置の概略を示す斜視図である。
【図４】従来の回折格子調整装置の概略を示す説明図である。
【図５】干渉縞による角度調整の調整精度を説明する図面である。
【図６】光ピックアップの構成の概略を説明する断面図である。
【図７】光ディスク上の記録トラックと集光スポットとの位置関係の説明する図面である。
【符号の説明】
１  光源
２  回折格子
３  コリメートレンズ
４  ミラー
５  第１の集光レンズ（空間周波数フィルター）
６  遮光板（空間周波数フィルター）
７  第２の集光レンズ（空間周波数フィルター）
８  ＴＶカメラ（観察手段）
９  モニター（観察手段）
１０  光透過部
【図１】
0003938509.tif 000002
【図２】
0003938509.tif 000003
【図３】
0003938509.tif 000004
【図４】
0003938509.tif 000005
【図５】
0003938509.tif 000006
【図６】
0003938509.tif 000007
【図７】
0003938509.tif 000008